(57)【要約】【課題】画像形成装置の内部処理において記憶された画像データの不正使用の防止のための対策が採られていることをユーザーに示すための技術を提供する。【解決手段】印刷媒体上に印刷画像を形成する画像形成装置は、形成対象となる原画像を表す非圧縮の画像データである非圧縮画像データを暗号化して暗号化画像データを生成する暗号化処理部と、生成された暗号化画像データを記憶する記憶部と、記憶された暗号化画像データを復号化して非圧縮画像データを復元する復号化処理部と、非圧縮画像データを使用して印刷画像を印刷媒体上に形成して印刷物を出力する画像出力部とを備える。画像形成装置は、暗号化画像データを非圧縮画像データとみなして処理して暗号化確認画像を表す暗号化確認画像データを生成し、暗号化確認画像データを使用して暗号化確認画像を印刷物と関連づけて表示する。【選択図】図１
2018153987.tif 000002
【特許請求の範囲】
【請求項１】
印刷媒体上に印刷画像を形成する画像形成装置であって、
前記形成の対象となる原画像を表す非圧縮の画像データである非圧縮画像データを暗号化して暗号化画像データを生成する暗号化処理部と、
前記生成された暗号化画像データを記憶する記憶部と、
前記記憶された暗号化画像データを復号化して前記非圧縮画像データを復元する復号化処理部と、
前記非圧縮画像データを使用して前記印刷画像を前記印刷媒体上に形成して印刷物を出力する画像出力部と、
を備え、
前記画像形成装置は、前記暗号化画像データを前記非圧縮画像データとみなして処理して暗号化確認画像を表す暗号化確認画像データを生成し、前記暗号化確認画像データを使用して前記暗号化確認画像を前記印刷物と関連づけて表示する画像形成装置。
【請求項２】
請求項１記載の画像形成装置であって、さらに、
ユーザーの操作入力を受け付ける操作表示部を備え、
前記操作表示部は、前記印刷物の設定の際に前記暗号化確認画像をプレビューとして表示する画像形成装置。
【請求項３】
請求項１又は２に記載の画像形成装置であって、さらに、
前記暗号化確認画像と、前記原画像とを予め設定されているレイアウトで配置するレイアウト処理部を備え、
前記画像出力部は、前記予め設定されているレイアウトで配置されている前記暗号化確認画像と、前記原画像とを前記印刷媒体上に形成する画像形成装置。
【請求項４】
請求項３項に記載の画像形成装置であって、
前記レイアウト処理部は、前記暗号化確認画像と前記原画像とを同一サイズで並べて配置する画像形成装置。
【請求項５】
請求項３に記載の画像形成装置であって、
前記レイアウト処理部は、前記暗号化確認画像の濃度を低下させ、前記低下した濃度の暗号化確認画像を前記原画像と重ねて配置する画像形成装置。
【請求項６】
請求項３に記載の画像形成装置であって、
前記レイアウト処理部は、前記暗号化確認画像を使用して所定の意味を表す記号を生成し、前記生成された記号の濃度を低下させた状態で前記原画像と重ねて配置する画像形成装置。
【請求項７】
印刷媒体上に印刷画像を形成する画像形成方法であって、
前記形成の対象となる原画像を表す非圧縮の画像データである非圧縮画像データを暗号化して暗号化画像データを生成する暗号化処理工程と、
前記生成された暗号化画像データを記憶する記憶工程と、
前記記憶された暗号化画像データを復号化して前記非圧縮画像データを復元する復号化処理工程と、
前記非圧縮画像データを使用して前記印刷画像を前記印刷媒体上に形成して印刷物を出力する画像出力工程と、
を備え、
前記画像形成方法は、前記暗号化画像データを前記非圧縮画像データとみなして処理して暗号化確認画像を表す暗号化確認画像データを生成し、前記暗号化確認画像データを使用して前記暗号化確認画像を前記印刷物と関連づけて表示する画像形成方法。
【請求項８】
印刷媒体上に印刷画像を形成する画像形成装置を制御する画像形成プログラムであって、
前記形成の対象となる原画像を表す非圧縮の画像データである非圧縮画像データを暗号化して暗号化画像データを生成する暗号化処理部、
前記生成された暗号化画像データを記憶する記憶部、
前記記憶された暗号化画像データを復号化して前記非圧縮画像データを復元する復号化処理部、及び
前記非圧縮画像データを使用して前記印刷画像を前記印刷媒体上に形成して印刷物を出力する画像出力部として前記画像形成装置を機能させ、
前記画像形成装置は、前記暗号化画像データを前記非圧縮画像データとみなして処理して暗号化確認画像を表す暗号化確認画像データを生成し、前記暗号化確認画像データを使用して前記暗号化確認画像を前記印刷物と関連づけて表示する画像形成プログラム。
【発明の詳細な説明】
【技術分野】
【０００１】
本発明は、画像形成装置、画像形成方法及び画像形成プログラムに関し、特に画像形成におけるデータの保護に関する。
【背景技術】
【０００２】
多機能プリンタや複合機（Ｍｕｌｔｉｆｕｎｃｔｉｏｎ  Ｐｅｒｉｐｈｅｒａｌ：ＭＦＰ）といった画像形成装置には、ハードディスクドライブやＳＳＤのような不揮発性の大容量記憶媒体を搭載した機種がある。大容量記憶媒体は、たとえば複写やファックスとしての送信の際に画像データを一旦記憶し、複写等の完了後に画像データを廃棄する。しかしながら、画像データが廃棄されても画像データが格納されている記憶領域が書き込み可能となっているだけで、必ずしも第三者による不正使用の防止とはならない。さらに、画像データの記憶領域に上書きがされても記憶領域を復元する技術も存在する。
【０００３】
一方、画像形成装置の処理においてもデータの不正使用防止の観点から種々の技術が提案されている。特許文献１は、可搬記録媒体に蓄積された画像データが暗号化処理されているか否かを判断し、暗号化されていない画像はプレビュー表示する一方、暗号化されている画像は別のマークを表示することで暗号化されていることをユーザーに知らせる技術を提案している。特許文献２は、印刷対象の画像とタイムスタンプとから２次元バーコードを生成し、その２次元バーコードを印刷物に付与することで、データの改ざんを防止する技術を提案している。この技術は、同時刻の二次元バーコードは唯一である点に着目した技術である。特許文献３は、第１の装置で印刷データをその印刷データに復元可能な画像データに変換し、その画像データを印刷して印刷物を得た後、第２の装置で印刷物を走査し、印刷された画像データを読み取り、読み取った画像データから元の印刷データを復元し、復元した印刷データを印刷する技術を提案している。この技術は、データ漏洩の危険性を回避し、高機能な印刷を行うことができる。
【先行技術文献】
【特許文献】
【０００４】
【特許文献１】特開２００７−２６７２０６号公報
【特許文献２】特開２００３−３２３５１２号公報
【特許文献３】特開２００７−７９７４１号公報
【発明の概要】
【発明が解決しようとする課題】
【０００５】
しかし、上述の技術は、画像形成装置の内部処理において、画像形成の対象となる画像データが不揮発性の記録媒体に一時的に記憶された場合に、その画像データの不正使用の防止のための対策が採られているか否かをユーザーに示すことができない。
【０００６】
本発明は、このような状況に鑑みてなされたものであり、画像形成装置の内部処理において記憶された画像データの不正使用の防止のための対策が採られていることをユーザーに示すための技術を提供することを目的とする。
【課題を解決するための手段】
【０００７】
本発明は、印刷媒体上に印刷画像を形成する画像形成装置を提供する。前記画像形成装置は、前記形成の対象となる原画像を表す非圧縮の画像データである非圧縮画像データを暗号化して暗号化画像データを生成する暗号化処理部と、前記生成された暗号化画像データを記憶する記憶部と、前記記憶された暗号化画像データを復号化して前記非圧縮画像データを復元する復号化処理部と、前記非圧縮画像データを使用して前記印刷画像を前記印刷媒体上に形成して印刷物を出力する画像出力部とを備え、前記画像形成装置は、前記暗号化画像データを前記非圧縮画像データとみなして処理して暗号化確認画像を表す暗号化確認画像データを生成し、前記暗号化確認画像データを使用して前記暗号化確認画像を前記印刷物と関連づけて表示する。
【０００８】
本発明は、印刷媒体上に印刷画像を形成する画像形成方法を提供する。前記画像形成方法は、前記形成の対象となる原画像を表す非圧縮の画像データである非圧縮画像データを暗号化して暗号化画像データを生成する暗号化処理工程と、前記生成された暗号化画像データを記憶する記憶工程と、前記記憶された暗号化画像データを復号化して前記非圧縮画像データを復元する復号化処理工程と、前記非圧縮画像データを使用して前記印刷画像を前記印刷媒体上に形成して印刷物を出力する画像出力工程とを備え、前記画像形成方法は、前記暗号化画像データを前記非圧縮画像データとみなして処理して暗号化確認画像を表す暗号化確認画像データを生成し、前記暗号化確認画像データを使用して前記暗号化確認画像を前記印刷物と関連づけて表示する。
【０００９】
本発明は、印刷媒体上に印刷画像を形成する画像形成装置を制御する画像形成プログラムを提供する。前記画像形成プログラムは、前記形成の対象となる原画像を表す非圧縮の画像データである非圧縮画像データを暗号化して暗号化画像データを生成する暗号化処理部、前記生成された暗号化画像データを記憶する記憶部、前記記憶された暗号化画像データを復号化して前記非圧縮画像データを復元する復号化処理部、及び前記非圧縮画像データを使用して前記印刷画像を前記印刷媒体上に形成して印刷物を出力する画像出力部として前記画像形成装置を機能させ、前記画像形成装置は、前記暗号化画像データを前記非圧縮画像データとみなして処理して暗号化確認画像を表す暗号化確認画像データを生成し、前記暗号化確認画像データを使用して前記暗号化確認画像を前記印刷物と関連づけて表示する。
【発明の効果】
【００１０】
本発明によれば、画像形成装置の内部処理において記憶された画像データの不正使用の防止のための対策が採られていることをユーザーに示すための技術を提供することができる。
【図面の簡単な説明】
【００１１】
【図１】本発明の一実施形態に係る画像形成装置１００の機能構成を示すブロックダイアグラムである。
【図２】一実施形態に係る複写処理の内容を示すフローチャートである。
【図３】一実施形態に係るユーザーインターフェース画面における暗号化確認画像の表示の一例を示す説明図である。
【図４】一実施形態に係る暗号化確認画像を使用する複写のレイアウトの一例を示す説明図である。
【図５】第１変形例に係る暗号化確認画像を使用する複写のレイアウトの一例を示す説明図である。
【図６】第２変形例に係る暗号化確認記号を使用する複写のレイアウトの一例を示す説明図である。
【図７】第３変形例に係る暗号化確認記号を使用する複写のレイアウトの一例を示す説明図である。
【発明を実施するための形態】
【００１２】
以下、本発明を実施するための形態（以下、「実施形態」という）を、図面を参照して説明する。
【００１３】
図１は、本発明の一実施形態に係る画像形成装置１００の機能構成を示すブロックダイアグラムである。画像形成装置１００は、制御部１１０と、画像処理部１２０と、画像形成部１３０と、記憶部１４０と、画像読取部１５０と、暗号化処理部１６１と、復号化処理部１６２と、操作表示部１７０とを備えている。
【００１４】
画像読取部１５０は、原稿から画像を読み取ってデジタルデータである画像データＩＤを生成する。画像データＩＤは、非圧縮のデジタルデータであって、画素毎にＲＧＢの階調値を有している。
【００１５】
画像処理部１２０は、レイアウト処理部１２１と、色変換処理部１２２と、ハーフトーン処理部１２３とを備えている。レイアウト処理部１２１は、たとえば縮尺、片面／両面、ページ集約（たとえば２ｉｎ１）の設定に応じて印刷画像のレイアウトを設定する。色変換処理部１２２は、レイアウト処理されたＲＧＢデータである画像データをＣＭＹＫデータに色変換する。ハーフトーン処理部１２３は、ＣＭＹＫデータにハーフトーン処理を実行してＣＭＹＫのハーフトーンデータとして印刷データを生成する。
【００１６】
画像形成部１３０は、印刷データに基づいて印刷媒体上に印刷画像を形成する。操作表示部１７０は、タッチパネルとして機能し、様々なメニューを入力画面として表示し、ユーザーの操作入力を受け付ける。画像形成部１３０は、画像出力部とも呼ばれる。
【００１７】
制御部１１０は、ＲＡＭやＲＯＭ等の主記憶手段、及びＭＰＵ（Ｍｉｃｒｏ  Ｐｒｏｃｅｓｓｉｎｇ  Ｕｎｉｔ）やＣＰＵ（Ｃｅｎｔｒａｌ  Ｐｒｏｃｅｓｓｉｎｇ  Ｕｎｉｔ）等の制御手段を備えている。また、制御部１１０は、各種Ｉ／Ｏ、ＵＳＢ（ユニバーサル・シリアル・バス）、バス、その他ハードウェア等のインターフェイスに関連するコントローラ機能を備え、画像形成装置１００全体を制御する。
【００１８】
記憶部１４０は、非一時的な記録媒体であるハードディスクドライブやフラッシュメモリー等からなる記憶装置で、画像形成装置１００が実行する処理の制御プログラムやデータを記憶する。記憶部１４０は、本実施形態では、さらに、複写の際に一時的に画像データを格納する画像データ格納領域１４１を有している。
【００１９】
図２は、一実施形態に係る複写処理の内容を示すフローチャートである。図３は、一実施形態に係るユーザーインターフェース画面における暗号化確認画像の表示の一例を示す説明図である。図４は、一実施形態に係る暗号化確認画像を使用する複写のレイアウトの一例を示す説明図である。なお、本発明は、複写に限られず、印刷ジョブの受信やファックスの送信にも適用可能である。
【００２０】
ステップＳ１０では、ユーザーは、印刷設定処理を実行する。印刷設定処理では、制御部１１０は、操作表示部１７０を使用して印刷設定に関するユーザー入力を受け付ける。操作表示部１７０は、図３（ａ）に示されるように、ユーザーインターフェース画面ＳＣ１を表示する。ユーザーインターフェース画面ＳＣ１は、簡単設定タブＴ１、仕上げタブ、カラータブ、レイアウトタブ及び応用タブを含んでいる。この例では、簡単設定タブＴ１が選択されている。
【００２１】
簡単設定タブＴ１は、プレビュー画面表示用のウィンドウＰＶ１と、用紙選択設定用のアイコンＣ１と、縮小や拡大の設定用のアイコンＣ２と、セキュリティ確認設定用のアイコンＣ３と、濃度設定のためのアイコンＣ４と、片面印刷又は両面印刷の設定用のアイコンＣ５と、２ｉｎ１や４ｉｎ１といったページ集約用のアイコンＣ６とを含んでいる。
【００２２】
この例では、セキュリティ確認設定用のアイコンＣ３は、プレビュー画面表示用のウィンドウＰＶ２に暗号化確認画像Ｓ１を表示するように設定されていることを示している（ＯＮ表示）。さらに、ページ集約用のアイコンＣ６は、ページ集約で２ｉｎ１が設定され、セキュリティ確認設定用のアイコンＣ３がＯＮとなっているので、見開きで縮小された原画像Ｄ２と暗号化確認画像Ｓ２とが表示されるように設定可能である（図４（ｂ）参照）。
【００２３】
なお、制御部１１０は、出力される印刷物に関連して表示されるプレビュー画面表示用のウィンドウＰＶ２への暗号化確認画像Ｓ１の表示をログインユーザーや認証を受けたユーザーのみに限定するように構成されていてもよい。また、制御部１１０は、記憶部１４０が図示しないユーザー用記憶領域（ＢＯＸとも呼ばれる。）を有している場合には、そのユーザー用記憶領域の利用が許可されているユーザーや特別の権限をユーザーのみが表示できるようにしてもよい。
【００２４】
ステップＳ２０では、画像読取部１５０は、図示しない原稿上の原画像Ｄを読み取ってスキャンデータとしての画像データＩＤを生成する（図４（ａ）参照）。画像データＩＤは、前述のように非圧縮のデジタルデータであって、画素毎にＲＧＢの階調値を有している。
【００２５】
ステップＳ３０では、暗号化処理部１６１は、画像データＩＤに対して暗号化処理を実行する。暗号化処理には、たとえば暗号化規格としてＡＥＳ（Ａｄｖａｎｃｅｄ  Ｅｎｃｒｙｐｔｉｏｎ  Ｓｔａｎｄａｒｄ）を利用可能である。ＡＥＳには、鍵長に応じて「ＡＥＳ−１２８」「ＡＥＳ−１９２」「ＡＥＳ−２５６」の３種がある。「ＡＥＳ−１２８」は、最も鍵長が短く処理時間も短いが、暗号強度は、比較的に弱い「弱」のモードである。「ＡＥＳ−１９２」は、鍵長が中程度で処理時間も中程度であり、暗号強度は、中程度である。「ＡＥＳ−２５６」最も鍵長が長く処理時間も長いが、暗号強度は、比較的に強い「強」のモードである。
【００２６】
ステップＳ４０では、制御部１１０は、暗号化処理部１６１によって暗号化された画像データである暗号化画像データＥＤを記憶部１４０に格納する（図１参照）。記憶部１４０に格納するのは、画像形成装置１００における複写処理における紙詰まりの発生の際に、再度の画像読取をユーザーに強いないようにするためである。換言すれは、紙詰まりの解消の際に、画像形成装置１００がリセットされてもスキャンした原画像Ｄの画像データＩＤを再現できるようにするためである。
【００２７】
ステップＳ５０では、制御部１１０は、暗号化画像データＥＤを記憶部１４０から読み出して復号化処理部１６２に送信する。ステップＳ６０では、復号化処理部１６２は、復号化処理を実行する。復号化処理では、復号化処理部１６２は、暗号化画像データＥＤを復号化して画像データＩＤを復元する。なお、制御部１１０は、紙詰まり等が発生していない場合には、復号化の処理を省略して、ＲＡＭ等の揮発性記憶領域（図示せず）に格納されている非圧縮の画像データＩＤをそのまま使用することもできる。本明細書では、復号化処理によって生成された画像データＩＤと暗号化前の画像データＩＤとは、いずれも非圧縮画像データと呼ばれる。
【００２８】
ステップＳ７０では、復号化処理部１６２は、暗号化確認画像生成処理を実行する。暗号化確認画像生成処理では、復号化処理部１６２は、暗号化画像データＥＤを復号化することなく、復号化されたとみなされた暗号化確認画像データＳＤを生成する。暗号化確認画像データＳＤは、画像形成装置１００において暗号化確認画像を表すデータとして取り扱われる（図４（ａ）参照）。
【００２９】
具体的には、たとえば画像データＩＤは、非圧縮のＲＧＢ画像データであることを表す属性データを有する一方、暗号化画像データＥＤは、暗号化された画像データであることを表す属性データを有しているものとする。この場合、復号化処理部１６２は、暗号化画像データＥＤを復号化することなく、属性データのみを非圧縮のＲＧＢ画像データであることを表す属性データに書き換える。これにより、暗号化画像データＥＤは、画像として認識するとランダムな色画像を再現することとなる。
【００３０】
なお、暗号化画像データＥＤや画像データＩＤが属性データを有しない場合には、属性データの書き換えを行うことなく、復号化処理部１６２は、単に復号化処理をスキップして暗号化画像データＥＤを画像データＩＤとして画像処理部１２０に送信する。このように、本実施形態では、暗号化画像データＥＤを画像データＩＤとみなして扱うことによって暗号化確認画像データＳＤが生成される。
【００３１】
ステップＳ８０では、レイアウト処理部１２１は、レイアウト処理を実行する。レイアウト処理では、レイアウト処理部１２１は、暗号化画像データＥＤと画像データＩＤとを使用して印刷するためのレイアウトを設定する。
【００３２】
この例では、レイアウト処理部１２１は、前述のように、見開きで縮小された原画像Ｄ２と暗号化確認画像Ｓ２とが表示されるようにレイアウトを設定する（図４（ｂ）参照）。すなわち、この例では、レイアウト処理部１２１は、原画像Ｄ２と暗号化確認画像Ｓ２とを同一サイズにおいて１対１で並べて配置して印刷画像ＤＳ１を生成する。このように、１枚の紙に原画像Ｄ２と暗号化確認画像Ｓ２を印刷することで、画像形成における内部処理で暗号化されていることの証明としても使える。
【００３３】
レイアウト処理部１２１は、さらに、セキュリティ確認設定用のアイコンＣ３がＯＮとなっているので、ユーザーインターフェース画面ＳＣ２においてプレビュー画面表示用のウィンドウＰＶ２に暗号化確認画像Ｓ１を表示する。なお、レイアウト処理部１２１は、ユーザー設定により、ユーザーインターフェース画面ＳＣ２への暗号化確認画像Ｓ１の表示のみの実行（暗号化確認画像Ｓ２の印刷の省略）、あるいはプレビュー画面表示用のウィンドウＰＶ２への暗号化確認画像Ｓ１の表示を省略することもできる。
【００３４】
ステップＳ９０では、色変換処理部１２２は、レイアウト処理されたＲＧＢデータである画像データをＣＭＹＫデータに色変換し、ハーフトーン処理部１２３は、ＣＭＹＫデータにハーフトーン処理を実行してＣＭＹＫのハーフトーンデータとして印刷データを生成する。これにより、印刷画像ＤＳ１において、暗号化確認画像データＳＤが所定の領域にランダムな色画像である暗号化確認画像Ｓ２を再現する一方、画像データＩＤが原画像Ｄ２を再現することとなる。
【００３５】
ステップＳ１００では、画像形成部１３０は、印刷データに基づいて印刷媒体上に印刷画像ＤＳ１を形成し、印刷物として出力する。このように、画像形成部１３０は、予め設定されているレイアウトで配置されている縮小された暗号化確認画像Ｓ２と縮小された原画像Ｄ２とから合成された印刷画像ＤＳ１を印刷媒体上に形成することができる。
【００３６】
これにより、ユーザーは、画像形成装置１００の内部処理において不揮発性記憶装置への一時記憶が行われた際には、暗号化確認画像Ｓ２を原画像Ｄ２とともに印刷することができる。暗号化確認画像Ｓ２は、前述のように暗号化された実際のデータの中身を画像化したものである。この結果、画像形成装置１００は、画像形成装置１００の内部処理において不揮発性記憶装置への一時記憶が行われた際には、実際の暗号化処理の内容を視覚的にユーザーに示すことができる。
【００３７】
このように、一実施形態によれば、画像形成装置１００は、画像形成装置１００の内部処理において不揮発性記憶装置への一時記憶が行われた際に、実際の暗号化処理の内容をユーザーに示すことができる。これにより、画像形成装置１００は、画像形成装置１００の内部処理において不揮発性の記憶媒体に一時的に記憶された画像データＩＤの不正使用の防止のための対策が採られていることを直接的かつ視覚的にユーザーに示すことができる。本発明は、特に画像形成装置１００がコンビニエンスストア等において共有されている場合において、高いセキュリティを広く一般のユーザーに示すことができるという利点を有している。
【００３８】
本発明は、上記各実施形態だけでなく、以下のような変形例でも実施することができる。
【００３９】
第１変形例：上記実施形態では、暗号化確認画像と原画像とが同一サイズで並べて配置されているが、このような配置に限られない。具体的には、たとえば図５に示されるように、印刷画像ＤＳ２は、原画像Ｄ３を大きく表示し、サムネイルとしての暗号化確認画像Ｓ３がヘッダに配置されている。これにより、印刷画像ＤＳ２は、原画像Ｄを過度に縮小することなく表示することができる。
【００４０】
さらに、暗号化確認画像Ｓ３の右横には、暗号強度に応じて「強」「中」「弱」のいずれか１つの文字が濃い濃度で表示され、他の文字が薄い濃度で表示されている。この例では、「中」が濃い濃度で表示され、「ＡＥＳ−１９２」が選択されていることが示されている。
【００４１】
第２変形例：上記実施形態では、暗号化確認画像と原画像とが相互に干渉しない位置に配置されているが、このような配置に限られない。具体的には、たとえば図６に示されるように、暗号化確認画像Ｓ１の濃度を低下させた状態として暗号化確認画像Ｓ４を生成し、暗号化確認画像Ｓ４を原画像の背景として原画像と重ねて配置することで印刷画像ＤＳ３を生成することもできる。
【００４２】
第３変形例：上記実施形態では、暗号化確認画像が形状を変えずに表示されているが、形状を変えて表示することもできる。具体的には、たとえば図７に示されるように、暗号化確認画像Ｓ１から所定の機密性を表す文字（この例では、Ｃｏｎｆｉｄｅｎｔｉａｌ）を抜き出して暗号化確認画像Ｓ１から構成された記号である暗号化確認記号ＭＳを含む暗号化確認画像Ｓ５を生成することができる。暗号化確認画像Ｓ５は、原画像の背景として原画像と重ねて配置することが可能であり、これにより印刷画像ＤＳ４を生成することもできる。
【００４３】
記号は、文字を含み、たとえば「社外秘」や「Ｃｏｐｙｒｉｇｈｔ」といった文字列も利用可能であり、べーツスタンプ（Ｂａｔｅｓ  Ｓｔａｍｐ）としても利用可能である。文字列の内容は、ユーザーが自由に設定可能としてもよく、セキュリティ確認設定用のアイコンＣ３のタッチによって起動される詳細設定画面でＯＮ／ＯＦＦやサイズも含めて自由に設定できるようにしてもよい。
【符号の説明】
【００４４】
１００  画像形成装置
１２０  画像処理部
１２１  レイアウト処理部
１２２  色変換処理部
１２３  ハーフトーン処理部
１３０  画像形成部
１４０  記憶部
１４１  画像データ格納領域
１６１  暗号化処理部
１６２  復号化処理部
１７０  操作表示部
【図１】
2018153987.tif 000003
【図２】
2018153987.tif 000004
【図３】
2018153987.tif 000005
【図４】
2018153987.tif 000006
【図５】
2018153987.tif 000007
【図６】
2018153987.tif 000008
【図７】
2018153987.tif 000009